(57)【要約】【課題】空間における明かりの雰囲気を大きく変化させることができる照明装置を提供する。【解決手段】照明光を発する照明装置の一例であるＬＥＤ電球１であって、直列接続された複数の第１のＬＥＤ素子１１Ａによって構成された第１の発光部１０Ａと、直列接続された複数の第２のＬＥＤ素子１１Ｂによって構成され、第１の発光部１０Ａとは異なる光色で発光する第２の発光部１０Ｂとを備え、第１の発光部１０Ａと第２の発光部１０Ｂとの選択的な点灯による前記照明光の光色の切り替えに応じて当該照明光の配光角が変化する。【選択図】図１
2016170912.tif 000002
【特許請求の範囲】
【請求項１】
照明光を発する照明装置であって、
直列接続された複数の第１の発光素子によって構成された第１の発光部と、
直列接続された複数の第２の発光素子によって構成され、前記第１の発光部とは異なる光色で発光する第２の発光部とを備え、
前記第１の発光部と前記第２の発光部との選択的な点灯による前記照明光の光色の切り替えに応じて前記照明光の配光角が変化する
照明装置。
【請求項２】
前記第１の発光部が発光するときの前記照明光の配光角と、前記第２の発光部が発光するときの前記照明光の配光角とが異なる
請求項１に記載の照明装置。
【請求項３】
さらに、
前記複数の第１の発光素子の光出射側に配置され、前記複数の第１の発光素子が発する光にレンズ作用を与える第１のレンズと、
前記複数の第２の発光素子の光出射側に配置され、前記複数の第２の発光素子が発する光にレンズ作用を与える第２のレンズとを備え、
前記第１のレンズと前記第２のレンズとはレンズ作用が異なる
請求項１又は２に記載の照明装置。
【請求項４】
前記第１のレンズ及び前記第２のレンズの一方は、凹レンズであり、
前記第１のレンズ及び前記第２のレンズの他方は、凸レンズである
請求項３に記載の照明装置。
【請求項５】
前記第１のレンズと前記第２のレンズとは一体成形されている
請求項３又は４に記載の照明装置。
【請求項６】
さらに、前記複数の第１の発光素子及び前記複数の第２の発光素子を覆う透光性カバーを備え、
前記第１のレンズ及び前記第２のレンズは、前記透光性カバーに設けられている
請求項３〜５のいずれか１項に記載の照明装置。
【請求項７】
さらに、前記複数の第１の発光素子及び前記複数の第２の発光素子を覆う透光性カバーを備え、
前記透光性カバーの前記複数の第１の発光素子が発する光が透過する第１の透過部と、前記透光性カバーの前記複数の第２の発光素子が発する光が透過する第２の透過部とは、光拡散度が異なる
請求項１又は２に記載の照明装置。
【請求項８】
前記透光性カバーは、光拡散粒子を含み、
前記第１の透過部における前記光拡散粒子の濃度と前記第２の透過部における前記光拡散粒子の濃度とが異なる
請求項７に記載の照明装置。
【請求項９】
前記複数の第１の発光素子は、前記複数の第２の発光素子を囲むように環状に配列されている
請求項１〜８のいずれか１項に記載の照明装置。
【請求項１０】
前記第１の発光部が発光するときの前記照明光の配光角は、前記第２の発光部が発光するときの前記照明光の配光角よりも大きい
請求項９に記載の照明装置。
【請求項１１】
前記第１の発光部が発光するときの前記照明光の全光束は、前記第２の発光部が発光するときの前記照明光の全光束よりも大きい
請求項９又は１０に記載の照明装置。
【請求項１２】
前記第１の発光部と前記第２の発光部とは光軸が同じである
請求項１〜１１のいずれか１項に記載の照明装置。
【請求項１３】
さらに、前記複数の第１の発光素子及び前記複数の第２の発光素子を発光させるための電力を受ける口金を備える
請求項１〜１２のいずれか１項に記載の照明装置。
【発明の詳細な説明】
【技術分野】
【０００１】
本発明は、照明装置に関する。
【背景技術】
【０００２】
発光ダイオード（ＬＥＤ：Ｌｉｇｈｔ  Ｅｍｉｔｔｉｎｇ  Ｄｉｏｄｅ）等の半導体発光素子は、小型、高効率及び長寿命であることから、様々な製品の光源として期待されている。例えば、ＬＥＤを光源とするＬＥＤ照明が実用化されている。
【０００３】
ＬＥＤ照明には、電球形蛍光灯や白熱電球に代替する電球形ＬＥＤランプ（ＬＥＤ電球）、又は、直管形蛍光灯に代替する直管ＬＥＤランプ等の口金付きのＬＥＤランプがある。例えば、特許文献１には、従来の電球形ＬＥＤランプが開示されている。また、特許文献２には、従来の直管ＬＥＤランプが開示されている。
【０００４】
その他に、ＬＥＤ照明として、シーリングライト、ダウンライト又はスポットライトス等のＬＥＤ照明器具の開発も進められている。
【先行技術文献】
【特許文献】
【０００５】
【特許文献１】特開２００６−３１３７１７号公報
【特許文献２】特開２００９−０４３４４７号公報
【発明の概要】
【発明が解決しようとする課題】
【０００６】
ＬＥＤ照明を所定の箇所に設置した後に空間における明かりの雰囲気を変更したい場合がある。この場合、調光制御することによって照明光の明るさを変更することができる照明装置、又は、色温度が異なる光を発する２つのＬＥＤ発光部を２系統の駆動回路で制御することによって照明光の光色を変更することができる照明装置等が考えられる。
【０００７】
しかしながら、単に照明光の明るさや光色を変化させるだけでは、空間における明かりの雰囲気を十分に変化させることができない場合がある。
【０００８】
本発明は、このような課題に鑑みてなされたものであり、空間における明かりの雰囲気を大きく変化させることができる照明装置を提供することを目的とする。
【課題を解決するための手段】
【０００９】
上記目的を達成するために、本発明に係る照明装置の一態様は、照明光を発する照明装置であって、直列接続された複数の第１の発光素子によって構成された第１の発光部と、直列接続された複数の第２の発光素子によって構成され、前記第１の発光部とは異なる光色で発光する第２の発光部とを備え、前記第１の発光部と前記第２の発光部との選択的な点灯による前記照明光の光色の切り替えに応じて前記照明光の配光角が変化する。
【発明の効果】
【００１０】
空間における明かりの雰囲気を大きく変化させることができるので、空間の演出性を向上させることができる。
【図面の簡単な説明】
【００１１】
【図１】実施の形態１に係るＬＥＤ電球の一部切り欠き側面図である。
【図２Ａ】実施の形態１に係るＬＥＤ電球の上面図である。
【図２Ｂ】実施の形態１に係るＬＥＤ電球におけるＬＥＤモジュールの上面図である。
【図３】実施の形態１に係るＬＥＤ電球の回路ブロック図である。
【図４Ａ】実施の形態１に係るＬＥＤ電球の第１点灯状態における照明光の配光曲線図である。
【図４Ｂ】実施の形態１に係るＬＥＤ電球の第２点灯状態における照明光の配光曲線図である。
【図５Ａ】実施の形態１に係るＬＥＤ電球の第１点灯状態における配光を模式的に示す図である。
【図５Ｂ】実施の形態１に係るＬＥＤ電球の第２点灯状態における配光を模式的に示す図である。
【図６】実施の形態１の変形例に係るＬＥＤ電球の一部切り欠き側面図である。
【図７】実施の形態２に係るＬＥＤ電球の一部切り欠き側面図である。
【図８】実施の形態２に係るＬＥＤ電球の上面図である。
【図９】実施の形態２の変形例に係るＬＥＤ電球の一部切り欠き側面図である。
【図１０】実施の形態２の他の変形例に係るＬＥＤ電球の一部切り欠き側面図である。
【図１１】変形例１に係る照明装置の断面図である。
【図１２】変形例２に係る照明装置の断面図である。
【発明を実施するための形態】
【００１２】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図は、模式図であり、必ずしも厳密に図示されたものではない。また、各図において、実質的に同一の材料や部材に対しては同一の符号を付しており、重複する説明は省略又は簡略化する。
【００１４】
以下の実施の形態では、照明光を発する照明装置の一例として、電球形蛍光灯又は白熱電球の代替品となる電球形のＬＥＤランプ（ＬＥＤ電球）について説明する。
【００１５】
（実施の形態１）
まず、実施の形態１に係るＬＥＤ電球１の構成について、図１、図２Ａ、図２Ｂ及び図３を用いて説明する。図１は、実施の形態１に係るＬＥＤ電球の一部切り欠き側面図である。図２Ａは、同ＬＥＤ電球の上面図である。図２Ｂは、同ＬＥＤ電球におけるＬＥＤモジュールの上面図である。図３は、同ＬＥＤ電球の回路ブロック図である。
【００１６】
図１及び図２Ａに示すように、ＬＥＤ電球１は、ＬＥＤモジュール１０と、ＬＥＤモジュール１０を発光させるための駆動回路２０と、ＬＥＤモジュール１０を覆う透光性カバー３０とを備える。ＬＥＤ電球１は、さらに、ＬＥＤモジュール１０を支持する支持部材４０と、駆動回路２０を収納する筐体５０と、口金６０とを備える。
【００１７】
本実施の形態において、ＬＥＤ電球１は、透光性カバー３０と筐体５０と口金６０とによって外囲器が構成されている。
【００１８】
図２Ｂ及び図３に示すように、ＬＥＤモジュール１０は、直列接続された複数の第１のＬＥＤ素子１１Ａによって構成された第１の発光部１０Ａと、直列接続された複数の第２のＬＥＤ素子１１Ｂによって構成された第２の発光部１０Ｂとを有する。第１の発光部１０Ａと第２の発光部１０Ｂとは異なる光色で発光（点灯）する。例えば、第１の発光部１０Ａと第２の発光部１０Ｂとは異なる色温度で発光する。
【００１９】
駆動回路２０は、ＬＥＤモジュール１０の点消灯（点灯及び消灯）を制御するとともに、ＬＥＤモジュール１０の発光状態を制御する。具体的には、駆動回路２０は、第１の発光部１０Ａの点消灯制御と、第２の発光部１０Ｂの点消灯制御とを行う。
【００２０】
本実施の形態では、第１の発光部１０Ａと第２の発光部１０Ｂとが選択的に点灯する。具体的には、駆動回路２０によって第１の発光部１０Ａと第２の発光部１０Ｂとを選択的に点灯させることで、ＬＥＤモジュール１０の発光状態を変化させている。ＬＥＤモジュール１０の発光状態には、例えば、第１の発光部１０Ａのみが点灯する第１点灯状態（第１モード）と、第２の発光部１０Ｂのみが点灯する第２点灯状態（第２モード）と、第１の発光部１０Ａと第２の発光部１０Ｂの両方が点灯する第３点灯状態（第３モード）とがある。
【００２１】
また、上述のとおり、第１の発光部１０Ａと第２の発光部１０Ｂとは異なる光色で発光するので、第１の発光部１０Ａと第２の発光部１０Ｂとを選択的に点灯させることでＬＥＤ電球１が発する照明光の光色が切り替わる。つまり、駆動回路２０によって第１の発光部１０Ａ及び第２の発光部１０Ｂの点消灯制御を行うことで、ＬＥＤ電球１の照明光の光色を切り替え制御を行うことができる。
【００２２】
そして、ＬＥＤ電球１では、照明光の光色の切り替えに応じて当該照明光の配光角が変化する。つまり、第１の発光部１０Ａと第２の発光部１０Ｂとを選択的に点灯させることによってＬＥＤ電球１の照明光の光色の切り替え、この照明光の切り替えに応じて当該照明光の配光角が変化する。
【００２３】
本実施の形態では、第１の発光部１０Ａが発光するときのＬＥＤ電球１の照明光の配光角と、第２の発光部１０Ｂが発光するときのＬＥＤ電球１の照明光の配光角とが異なっている。これにより、第１の発光部１０Ａと第２の発光部１０Ｂとの選択的な点灯によるＬＥＤ電球１の照明光の光色の切り替えと同時に、ＬＥＤ電球１の照明光の配光角を変化させることができる。
【００２４】
具体的には、第１の発光部１０Ａに対応する第１のレンズ３１Ａと第２の発光部１０Ｂに対応する第２のレンズ３１Ｂとでレンズ作用を異ならせることで、ＬＥＤ電球１の照明光の光色の切り替えと同時に当該照明光の配光角を変化させている。つまり、第１のレンズ３１Ａと第２のレンズ３１Ｂとは、ＬＥＤ電球１の照明光の配光角を可変させる配光角可変手段として機能している。一例として、第１のレンズ３１Ａ及び第２のレンズ３１Ｂの一方が凹レンズであり、他方が凸レンズである。
【００２５】
本実施の形態において、第１のレンズ３１Ａと第２のレンズ３１Ｂとは一体成形されている。具体的には、第１のレンズ３１Ａと第２のレンズ３１Ｂとは、透光性カバー３０に設けられており、透光性カバー３０とともに一体成形されている。つまり、透光性カバー３０は、レンズ機能を有するレンズカバーである。
【００２６】
以下、ＬＥＤ電球１の各部材の構成について、図１〜図３を用いてさらに詳細に説明する。
【００２７】
［ＬＥＤモジュール］
図１に示すように、ＬＥＤモジュール１０は、透光性カバー３０によって覆われている。ＬＥＤモジュール１０は、駆動回路２０から供給される直流電力によって発光し、ＬＥＤモジュール１０から出射した光は、透光性カバー３０を透過してＬＥＤ電球１の外部に出射する。また、ＬＥＤモジュール１０は、支持部材４０に載置され、ネジ又は接着剤等の固定手段によって支持部材４０に固定される。
【００２８】
図２Ｂに示すように、ＬＥＤモジュール１０は、第１の発光部１０Ａを構成する複数の第１のＬＥＤ素子１１Ａと、第２の発光部１０Ｂを構成する複数の第２のＬＥＤ素子１１Ｂと、複数の第１のＬＥＤ素子１１Ａ及び複数の第２のＬＥＤ素子１１Ｂが実装された基板１２とを有する。
【００２９】
第１の発光部１０Ａと第２の発光部１０Ｂとは光軸が同じである。本実施の形態において、第１の発光部１０Ａと第２の発光部１０Ｂとの光軸はランプ軸及び口金６０の回転軸と一致している。
【００３０】
複数の第１のＬＥＤ素子１１Ａは、複数の第２のＬＥＤ素子１１Ｂを囲むように環状に配列されている。図２Ｂに示すように、本実施の形態では、例えば８個の第１のＬＥＤ素子１１Ａが、４個の第２のＬＥＤ素子１１Ｂを囲むように円環状に均等（４５度間隔）に配列されている。また、複数の第２のＬＥＤ素子１１Ｂも環状に配列されている。図２Ｂでは、４個の第２のＬＥＤ素子１１Ｂが円環状に均等（９０度間隔）に配列されている。
【００３１】
図２Ｂに示すように、複数の第１のＬＥＤ素子１１Ａ及び複数の第２のＬＥＤ素子１１Ｂのそれぞれは、基板１２に形成された金属配線１３によって直列接続されている。また、図３に示すように、直列接続された複数の第１のＬＥＤ素子１１Ａ（第１直列接続群ＳＡ）と直列接続された複数の第２のＬＥＤ素子１１Ｂ（第２の直列素子群ＳＢ）とは、並列接続されている。
【００３２】
図２Ｂ及び図３に示すように、直列接続された複数の第１のＬＥＤ素子１１Ａ（第１直列接続群ＳＡ）の両端は、金属配線１３を介して接続端子１４ａ及び１４ｂに接続されている。また、直列接続された複数の第２のＬＥＤ素子１１Ｂ（第２直列接続群ＳＢ）の両端は、金属配線１３を介して接続端子１４ａ及び１４ｃに接続されている。つまり、第１直列接続群ＳＡの一方端と第２直列接続群ＳＢの一方端とに接続される接続端子は、１つの接続端子１４ａを兼用している。
【００３３】
接続端子１４ａ、１４ｂ及び１４ｃは、リード線（不図示）を介して駆動回路２０の出力部と電気的に接続されている。駆動回路２０から第１直列接続群ＳＡ及び第２直列接続群ＳＢに直流電力が供給されることで、複数の第１のＬＥＤ素子１１Ａ（第１の発光部１０Ａ）及び複数の第２のＬＥＤ素子１１Ｂ（第２の発光部１０Ｂ）が選択的に発光する。
【００３４】
本実施の形態では、第１のＬＥＤ素子１１Ａの実装数が第２のＬＥＤ素子１１Ｂの実装数よりも多くなっているので、ＬＥＤモジュール１０の全光束は、第１の発光部１０Ａが発光するときの方が第２の発光部１０Ｂが発光するときよりも大きい。
【００３５】
第１のＬＥＤ素子１１Ａ（第１の発光素子）及び第２のＬＥＤ素子１１Ｂ（第２の発光素子）は、発光素子の一例であり、本実施の形態では、白色光を発する白色ＬＥＤ素子である。
【００３６】
第１のＬＥＤ素子１１Ａ及び第２のＬＥＤ素子１１Ｂはいずれも、ＬＥＤチップと蛍光体とがパッケージ化された、いわゆる表面実装（ＳＭＤ：Ｓｕｒｆａｃｅ  Ｍｏｕｎｔ  Ｄｅｖｉｃｅ）型のＬＥＤ素子である。具体的には、第１のＬＥＤ素子１１Ａ及び第２のＬＥＤ素子１１Ｂは、図１に示すように、パッケージ（容器）１１ａと、パッケージ１１ａに収容されるＬＥＤチップ１１ｂと、ＬＥＤチップ１１ｂを封止する封止部材１１ｃとを有する。
【００３７】
パッケージ１１ａは、白色樹脂等で成型されており、逆円錐台形状の凹部（キャビティ）を備える。凹部の内側面は傾斜面となっており、ＬＥＤチップ１１ｂからの光を上方に反射させるように構成されている。
【００３８】
ＬＥＤチップ１１ｂは、パッケージ１１ａの凹部の底面に実装されている。ＬＥＤチップ１１ｂは、所定の直流電力により発光する半導体発光素子の一例であって、単色の可視光を発するベアチップである。ＬＥＤチップ１１ｂは、例えば、ダイアタッチ材（ダイボンド材）によって、パッケージ１１ａの凹部の底面にダイボンディング実装されている。ＬＥＤチップ１１ｂとしては、例えば通電されると青色光を発する青色ＬＥＤチップを用いることができる。
【００３９】
封止部材１１ｃは、例えば光波長変換体である蛍光体を含む蛍光体含有樹脂であって、ＬＥＤチップ１１ｂからの光を所定の波長に波長変換（色変換）するとともに、ＬＥＤチップ１１ｂを封止してＬＥＤチップ１１ｂを保護する。封止部材１１ｃは、パッケージ１１ａの凹部に充填されており、当該凹部の開口面まで封入されている。封止部材１１ｃとしては、例えばＬＥＤチップ１１ｂが青色ＬＥＤである場合、白色光を得るために、例えばＹＡＧ（イットリウム・アルミニウム・ガーネット）系の黄色蛍光体粒子をシリコーン樹脂に分散させた蛍光体含有樹脂を用いることができる。これにより、黄色蛍光体粒子は青色ＬＥＤチップの青色光によって励起されて黄色光を放出するので、封止部材１１ｃからは、励起された黄色光と青色ＬＥＤチップの青色光との混色によって白色光が放出される。なお、封止部材１１ｃに、シリカ等の光拡散材も含有させても構わない。
【００４０】
このように、本実施の形態における第１のＬＥＤ素子１１Ａ及び第２のＬＥＤ素子１１Ｂ１は、いずれも、青色ＬＥＤチップと黄色蛍光体とによって構成されたＢ−Ｙタイプの白色ＬＥＤ光源である。この場合、黄色蛍光体は青色ＬＥＤチップが発した青色光の一部を吸収して励起されて黄色光を放出するので、この黄色光と黄色蛍光体に吸収されなかった青色光とが混ざって白色光が得られる。
【００４１】
ただし、本実施の形態では、第１のＬＥＤ素子１１Ａと第２のＬＥＤ素子１１Ｂとで色温度を異ならせているので、第１のＬＥＤ素子１１Ａにおける封止部材１１ｃと第２のＬＥＤ素子１１Ｂにおける封止部材１１ｃとでは、含有させる蛍光体の種類や量を変えている。一例として、外側に配列された第１のＬＥＤ素子１１Ａは、高色温度（例えば５０００Ｋ以上）の発光色（昼白色や昼光色）であり、内側に配列された第２のＬＥＤ素子１１Ｂは、低色温度（４０００Ｋ以下）の発光色（電球色）である。
【００４２】
なお、第１直列接続群ＳＡにおける複数の第１のＬＥＤ素子１１Ａの各々は、互いに同じＬＥＤ素子であり、例えばＶＦ特性は互いに同じである。また、第２直列接続群ＳＢにおける複数の第２のＬＥＤ素子１１Ｂの各々も互いに同じＬＥＤ素子であり、ＶＦ特性は互いに同じである。
【００４３】
基板１２は、第１のＬＥＤ素子１１Ａ及び第２のＬＥＤ素子１１Ｂを実装するための実装基板である。図２Ｂに示すように、基板１２は、例えば、平面視において略円形の板状基板である。基板１２の中央部には、接続端子１４ａ、１４ｂ及び１４ｃと駆動回路２０とを接続するリード線を挿通ための貫通孔が設けられている。
【００４４】
基板１２としては、例えば、アルミニウム等の金属の基材に絶縁被膜を施すことで得られるメタルベース基板、アルミナ等のセラミック材料の焼結体であるセラミックス基板、又は、樹脂材料からなる樹脂基板（ガラスエポキシ基板等）等が用いられる。なお、基板１２の形状は、円形に限らず、矩形状等の基板を用いてもよい。また、基板１２として、フレキシブル基板を用いてもよい。
【００４５】
なお、絶縁性の確保と表面反射率向上とを目的として、基板１２の表面に、絶縁性樹脂材料からなる白色レジストを形成してもよい。
【００４６】
［透光性カバー］
図１に示すように、ＬＥＤモジュール１０を覆う透光性カバー３０は、ＬＥＤモジュール１０から出射する光をランプ外部に取り出すように構成されている。つまり、透光性カバー３０の内面に入射したＬＥＤモジュール１０の光は、透光性カバー３０を透過して透光性カバー３０の外部へと取り出される。
【００４７】
具体的には、透光性カバー３０は、複数の第１のＬＥＤ素子１１Ａ（第１の発光部１０Ａ）及び複数の第２のＬＥＤ素子１１Ｂ（第２の発光部１０Ｂ）を覆っている。したがって、透光性カバー３０は、複数の第１のＬＥＤ素子１１Ａ（第１の発光部１０Ａ）及び複数の第２のＬＥＤ素子１１Ｂ（第２の発光部１０Ｂ）から出射する光を透過させる。
【００４８】
透光性カバー３０は、ＬＥＤ電球１の照明光の配光角を可変させる配光角可変手段として、第１のレンズ３１Ａ及び第２のレンズ３１Ｂを有する。
【００４９】
第１のレンズ３１Ａは、複数の第１のＬＥＤ素子１１Ａの光出射側に配置されており、複数の第１のＬＥＤ素子１１Ａが発する光にレンズ作用を与える。つまり、第１のレンズ３１Ａは、第１の発光部１０Ａを構成する複数の第１のＬＥＤ素子１１Ａから出射する光を屈折させる。
【００５０】
第２のレンズ３１Ｂは、複数の第２のＬＥＤ素子１１Ｂの光出射側に配置されており、複数の第２のＬＥＤ素子１１Ｂが発する光にレンズ作用を与える。つまり、第２のレンズ３１Ｂは、第２の発光部１０Ｂを構成する複数の第２のＬＥＤ素子１１Ｂから出射する光を屈折させる。
【００５１】
第１のレンズ３１Ａと第２のレンズ３１Ｂとではレンズ作用が異なる。本実施の形態において、基板１２の外側部分に配列された第１のＬＥＤ素子１１Ａに対応する第１のレンズ３１Ａは凹レンズ（発散レンズ）であり、基板１２の内側部分に配列された第２のＬＥＤ素子１１Ｂに対応する第２のレンズ３１Ｂは凸レンズ（集束レンズ）である。
【００５２】
これにより、第１のＬＥＤ素子１１Ａから出射する光は、凹レンズである第１のレンズ３１Ａによって発散するように屈折するので、第１の発光部１０Ａ（複数の第１のＬＥＤ素子１１Ａ）の発光時において、ＬＥＤ電球１の照明光は、広い配光角となる。
【００５３】
一方、第２のＬＥＤ素子１１Ｂから出射する光は、凸レンズである第２のレンズ３１Ｂによって集束するように屈折するので、第２の発光部１０Ｂ（複数の第２のＬＥＤ素子１１Ｂ）の発光時において、ＬＥＤ電球１の照明光は、狭い配光角となる。
【００５４】
一例として、第１のレンズ３１Ａは、球面又は非球面の凹レンズである。本実施の形態では、図２Ａに示すように、第１のレンズ３１Ａは、複数の第１のＬＥＤ素子１１Ａと一対一となるように複数個設けられている。つまり、複数の第１のＬＥＤ素子１１Ａの各々の光出射側に第１のレンズ３１Ａが１つずつ設けられている。したがって、複数の第１のレンズ３１Ａは、中心がランプ軸となる円環状の配列で設けられている。
【００５５】
また、凸レンズである第２のレンズ３１Ｂは、例えば、フレネルレンズである。図１及び図２Ａに示すように、第２のレンズ３１Ｂは、複数の第２のＬＥＤ素子１１Ｂを一まとまりにして形成されており、本実施の形態では、１つのフレネルレンズが形成されている。
【００５６】
このように、本実施の形態では、第１の発光部１０Ａ（第１のＬＥＤ素子１１Ａ）に対応する第１のレンズ３１Ａと第２の発光部１０Ｂ（第２のＬＥＤ素子１１Ｂ）に対応する第２のレンズ３１Ｂとでレンズ作用を異ならせることで、ＬＥＤ電球１の照明光の光色の切り替えと同時に当該照明光の配光角を変化させている。
【００５７】
なお、第１のレンズ３１Ａ及び第２のレンズ３１Ｂは、凹レンズと凸レンズとの組み合わせに限るものではなく、焦点の異なる凸レンズ同士又は凹レンズ同士を組み合わせることによって異なる配光角を実現してもよい。この際、第１のレンズ３１Ａ及び第２のレンズ３１Ｂとしていずれも凸レンズを用いる場合は、広い配光角にする方のレンズ（本実施の形態では、第１のレンズ３１Ａ）を、焦点距離の短い広角レンズ（魚眼レンズ）にするとよい。
【００５８】
また、本実施の形態において、第１のレンズ３１Ａ及び第２のレンズ３１Ｂは、透光性カバー３０と一体成形されている。つまり、透光性カバー３０そのものがＬＥＤ電球１の照明光の配光角を可変させる配光角可変手段として機能している。具体的には、透光性カバー３０の第１の発光部１０Ａからの光が透過する部分（第１のレンズ３１Ａ）と第２の発光部１０Ｂからの光が透過する部分（第２のレンズ３１Ｂ）とで、透光性カバー３０に入射する光に対する光作用を異ならせている。
【００５９】
このように構成される透光性カバー３０は、透光性材料によって形成することができる。例えば、透光性カバー３０は、例えばアクリル（ＰＭＭＡ）又はポリカーボネート（ＰＣ）等の透明樹脂材料を用いて形成することができる。なお、透光性カバー３０は、樹脂製に限るものではなく、ガラス製等であってもよい。
【００６０】
透光性カバー３０は、開口部を有する中空部材であり、開口部とは反対側の頂部が閉塞された形状である。本実施の形態において、第１のレンズ３１Ａ及び第２のレンズ３１Ｂは、第１のＬＥＤ素子１１Ａ及び第２のＬＥＤ素子１１Ｂの光が入射する面である透光性カバー３０の内面に形成されている。これにより、第１のレンズ３１Ａ及び第２のレンズ３１Ｂのレンズ設計を容易に行うことができる。さらに、透光性カバー３０の外面は、平面状になっている。これにより、第１のレンズ３１Ａ及び第２のレンズ３１Ｂのレンズ設計を一層容易に行うことができる。なお、透光性カバー３０の外面は、平面状に限るものではなく、外方に突出する凸状の湾曲面であってもよいし、内方に窪む凹状の湾曲面であってもよい。
【００６１】
また、透光性カバー３０は、内部のＬＥＤモジュール１０が透けて見えるような透明であってもよいが、第１のレンズ３１Ａ及び第２のレンズ３１Ｂによるレンズ作用に影響を与えない程度に、透光性カバー３０に拡散性を持たせて乳白色としてもよい。例えば、シリカや炭酸カルシウム等の光拡散材を含有する樹脂や白色顔料等を透光性カバー３０の内面又は外面に塗布することによって乳白色の光拡散膜を形成してもよい。あるいは、透光性カバー３０に複数の微小凹凸（微小ドット又は微小な窪み）を形成することによって、透光性カバー３０に光拡散機能を持たせることもできる。このように、透光性カバー３０に光拡散機能を持たせることにより、点在する複数の第１のＬＥＤ素子１１Ａ及び複数の第２のＬＥＤ素子１１Ｂの輝度ばらつき（つぶつぶ感）を緩和することができる。
【００６２】
［駆動回路］
駆動回路２０は、ＬＥＤモジュール１０を発光させるための電力をＬＥＤモジュール１０に供給するための電源回路（電源ユニット）である。駆動回路２０の入力側は、口金６０とリード線等を介して電気的に接続されており、また、駆動回路２０の出力側は、リード線等を介してＬＥＤモジュール１０と電気的に接続されている。駆動回路２０は、口金６０から供給される商用電源（交流電圧）を、ＬＥＤモジュール１０を発光させるための直流電圧に変換する回路を含む。
【００６３】
本実施の形態における駆動回路２０は、図３に示すように、整流・平滑回路２１と、ＤＣ−ＤＣコンバータ回路２２と、スイッチ回路２３と、フィルター回路２４とを有する。
【００６４】
整流・平滑回路２１は、例えば、ブリッジ型全波整流回路と平滑コンデンサとを有しており、フィルター回路２４を介して入力された交流電圧を全波整流して、平滑化した直流電圧（Ｖｉｎ）として出力する。
【００６５】
ＤＣ−ＤＣコンバータ回路２２は、例えば、整流・平滑回路２１からの入力された直流電圧を所定の周波数及び所定の値の直流電圧に変換する。この変換した直流電圧がＬＥＤモジュール１０に供給されることで、ＬＥＤモジュール１０が発光する。
【００６６】
また、ＤＣ−ＤＣコンバータ回路２２は、光色切替回路２２ａを有する。光色切替回路２２ａは、ＬＥＤモジュール１０の光色を切り替えるための専用ＩＣであり、商用電源のオンオフ（例えば壁スイッチのオンオフ）による直流電圧（Ｖｉｎ）の変化を検知して、この検知結果をもとに、スイッチ回路２３を制御するための制御信号をスイッチ回路２３に出力する。具体的には、光色切替回路２２ａは、直流電圧（Ｖｉｎ）の変化を検知して、第１スイッチ素子２３ａ及び第２スイッチ素子２３ｂのオンオフを制御する。
【００６７】
スイッチ回路２３は、光色切替回路２２ａからの制御信号に基づいて第１の発光部１０Ａと第２の発光部１０Ｂとを選択的に点灯させることで、ＬＥＤモジュール１０の光色を切り替える。スイッチ回路２３は、第１スイッチ素子２３ａと第２スイッチ素子２３ｂとを有する。
【００６８】
第１スイッチ素子２３ａは、直列接続された複数の第１のＬＥＤ素子１１Ａ（第１直列素子群ＳＡ）の電流経路に設けられており、第１の発光部１０Ａを構成する複数の第１のＬＥＤ素子１１Ａの点灯及び消灯を切り替える。具体的には、第１スイッチ素子２３ａがオンになることで、複数の第１のＬＥＤ素子１１Ａ（第１の発光部１０Ａ）が点灯し、第１スイッチ素子２３ａがオフになることで、複数の第１のＬＥＤ素子１１Ａ（第１の発光部１０Ａ）が消灯する。
【００６９】
一方、第２スイッチ素子２３ｂは、直列接続された複数の第２のＬＥＤ素子１１Ｂ（第２直列素子群ＳＢ）の電流経路に設けられており、第２の発光部１０Ｂを構成する複数の第２のＬＥＤ素子１１Ｂの点灯及び消灯を切り替える。具体的には、第２スイッチ素子２３ｂがオンになることで、複数の第２のＬＥＤ素子１１Ｂ（第２の発光部１０Ｂ）が点灯し、第２スイッチ素子２３ｂがオフになることで、複数の第２のＬＥＤ素子１１Ｂ（第２の発光部１０Ｂ）が消灯する。
【００７０】
フィルター回路２４は、ノイズフィルタを有しており、商用の交流電源からの入力電圧のノイズをカットする。なお、フィルター回路２４は、整流・平滑回路２１の後段に配置してもよい。この場合、フィルター回路２４は、整流・平滑回路２１によって整流された電流をフィルタリングする。
【００７１】
このように、本実施の形態における駆動回路２０では、光色切替回路２２ａ及びスイッチ回路２３によって第１の発光部１０Ａの点消灯制御と第２の発光部１０Ｂの点消灯制御とを独立して行うことができる。つまり、第１の発光部１０Ａと第２の発光部１０Ｂとは駆動回路２０によって独立駆動することができる。これにより、第１の発光部１０Ａと第２の発光部１０Ｂとを選択的に点灯させることができる。
【００７２】
このように構成される駆動回路２０は、回路基板と、当該回路基板に実装された複数の電子部品とを有する。回路基板は、銅箔等の金属配線がパターニングされたプリント回路基板（ＰＣＢ）であり、例えば筐体５０に固定される。回路基板に実装される電子部品は、例えば、電解コンデンサやセラミックコンデンサ等の容量素子、抵抗器等の抵抗素子、整流回路素子、コイル素子、チョークコイル（チョークトランス）等のコイル素子、ノイズフィルタ、ダイオード又は集積回路（ＩＣ）等である。
【００７３】
なお、駆動回路２０は、第１の発光部１０Ａ（複数の第１のＬＥＤ素子１１Ａ）及び第２の発光部１０Ｂ（複数の第２のＬＥＤ素子１１Ｂ）を調光するための調光回路を有していてもよい。例えば、第１の発光部１０Ａ及び第２の発光部１０Ｂの各々の光出力を独立して制御できるような調光回路を有していてもよい。また、駆動回路２０は、昇圧回路、人感センサ回路、無線通信回路等のその他の機能回路を有していてもよい。
【００７４】
［支持部材］
次に、支持部材４０は、ＬＥＤモジュール１０を支持するための支持台（モジュールプレート）である。支持部材４０は、例えば、ランプ軸と直交するような平面を有する略円板状の部材である。
【００７５】
また、支持部材４０は、ＬＥＤモジュール１０（第１のＬＥＤ素子１１Ａ、第２のＬＥＤ素子１１Ｂ）で発生する熱を放熱させるための放熱部材（ヒートシンク）としても機能する。したがって、支持部材４０は、金属材料又は熱伝導率の高い樹脂材料によって構成するとよい。これにより、ＬＥＤモジュール１０で発生した熱を筐体５０に効率良く伝導させることができる。支持部材４０は、例えばアルミニウムを用いて形成される。
【００７６】
支持部材４０は、例えば筐体５０に固定される。また、支持部材４０は、透光性カバー３０の開口部を塞ぐように配置される。
【００７７】
なお、支持部材４０の中央部には、接続端子１４ａ、１４ｂ及び１４ｃと駆動回路２０とを接続するリード線を挿通ための貫通孔が設けられている。
【００７８】
［筐体］
筐体５０は、駆動回路２０を収納するための回路ケースであるとともに、ＬＥＤ電球１の外郭を構成する外郭筐体である。したがって、筐体５０は、ポリブチレンテレフタレート（ＰＢＴ）等の絶縁性樹脂材料等を用いて構成するとよい。
【００７９】
また、筐体５０の内部に、駆動回路２０を収納するための樹脂製の回路ケースを別途設けてもよい。この場合、筐体５０は、アルミニウム等の金属材料によって構成することができる。筐体５０を金属製にすることで、ＬＥＤモジュール１０（第１のＬＥＤ素子１１Ａ、第２のＬＥＤ素子１１Ｂ）で発生する熱を効率良くランプ外部に放熱させることができる。
【００８０】
なお、筐体５０の内部に、さらに円筒状のヒートシンクを設けてもよい。例えば、回路ケースを覆うようにヒートシンクを設けてもよい。
【００８１】
［口金］
口金６０は、ＬＥＤモジュール１０（第１のＬＥＤ素子１１Ａ及び第２のＬＥＤ素子１１Ｂ）を発光させるための電力をランプ外部から受電する受電部である。口金６０は、例えば、照明器具のソケットに取り付けられる。これにより、口金６０は、ＬＥＤ電球１を点灯させる際に、照明器具のソケットから電力を受けることができる。
【００８２】
口金６０には、例えば商用電源から交流電力が供給される。本実施の形態における口金６０は二接点によって交流電力を受電し、口金６０で受電した電力は、リード線等を介して駆動回路２０に入力される。
【００８３】
口金６０は、金属製の有底筒形状であって、外周面が雄ネジとなっているシェル部と、シェル部に絶縁部を介して装着されたアイレット部とを備える。絶縁部は、例えばガラスカレットによって構成される。口金６０は、例えば、筐体５０にねじ込むことで筐体５０に固定される。
【００８４】
口金６０の種類は、特に限定されるものではないが、本実施の形態では、ねじ込み式のエジソンタイプ（Ｅ型）の口金を用いている。例えば、口金６０として、Ｅ２６形、Ｅ１７形又はＥ１６形等が挙げられる。また、口金６０として、差し込み式の口金を用いてもよい。
【００８５】
［ＬＥＤ電球１の動作］
次に、本実施の形態におけるＬＥＤ電球１の動作について説明する。
【００８６】
ＬＥＤ電球１では、第１の発光部１０Ａ（第１のＬＥＤ素子１１Ａ）及び第２の発光部１０Ｂ（第２のＬＥＤ素子１１Ｂ）の各々が発する光に対して、レンズ作用の異なる第１のレンズ３１Ａ及び第２のレンズ３１Ｂが形成されている。本実施の形態において、第１のレンズ３１Ａは凹レンズであり、第２のレンズ３１Ｂは凸レンズである。
【００８７】
したがって、第１のレンズ３１Ａから出射する光は第１のレンズ３１Ａによって発散するように屈折するので、第１の発光部１０Ａ（複数の第１のＬＥＤ素子１１Ａ）から出射する光は広い配光角となる。
【００８８】
一方、第２のＬＥＤ素子１１Ｂから出射する光は第２のレンズ３１Ｂによって集束するように屈折するので、第２の発光部１０Ｂ（複数の第２のＬＥＤ素子１１Ｂ）から出射する光は狭い配光角となる。
【００８９】
図４Ａ及び図４Ｂは、実施の形態１に係るＬＥＤ電球の照明光の配光曲線図である。図４Ａは、第１の発光部１０Ａのみが点灯している場合（第１点灯状態）の配光特性を示しており、図４Ｂは、第２の発光部１０Ｂのみが点灯している場合（第２点灯状態）の配光特性を示している。
【００９０】
なお、図４Ａ及び図４Ｂにおける配光曲線図は、ＬＥＤ電球１の上下方向を含む３６０°の各方向に対する光度の大きさを表しており、ＬＥＤ電球１のランプ軸に沿った前方側（光出射側）の方向を０°、ランプ軸に沿った後方側（口金側）の方向を１８０°として、時計回り及び反時計回りにそれぞれ１０°間隔に目盛を刻んでいる。
【００９１】
図４Ａ及び図４Ｂに示すように、本実施の形態では、基板１２の外側部分に配列された第１のＬＥＤ素子１１Ａ（第１の発光部１０Ａ）が発光するときの方が、基板１２の内側部分に配列された第２のＬＥＤ素子１１Ｂ（第２の発光部１０Ｂ）が発光するときよりも広配光の特性になっている。
【００９２】
具体的には、第１のＬＥＤ素子１１Ａが発光するときのＬＥＤ電球１の照明光の配光角は、第２のＬＥＤ素子１１Ｂが発光するときのＬＥＤ電球１の照明光の配光角よりも大きくなっている。
【００９３】
本実施の形態では、図４Ａに示されるように、第１のＬＥＤ素子１１Ａ（第１の発光部１０Ａ）が発光する時の配光角は、約１４０°である。また、図４Ｂに示されるように、第２のＬＥＤ素子１１Ｂ（第２の発光部１０Ｂ）が発光する時の配光角は、約５０°である。なお、配光角とは、ＬＥＤ電球１の照明光における光度の最大値の半分以上の光度が出射される角度範囲の大きさをいう。
【００９４】
そして、本実施の形態におけるＬＥＤ電球１では、上述のとおり、第１の発光部１０Ａと第２の発光部１０Ｂとを選択的に点灯させることによってＬＥＤ電球１が発する照明光の光色を切り替えている。
【００９５】
このとき、ＬＥＤ電球１では、図５Ａ及び図５Ｂに示すように、照明光の光色の切り替えに応じて当該照明光の配光角が変化する。図５Ａ及び図５Ｂは、実施の形態１に係るＬＥＤ電球の光色の切り替え時における配光の変化を説明するための模式図である。図５Ａは、第１の発光部１０Ａのみが点灯する第１点灯状態でのＬＥＤ電球１の配光を示しており、図５Ｂは、第２の発光部１０Ｂのみが点灯する第２点灯状態でのＬＥＤ電球１の配光を示している。
【００９６】
本実施の形態のＬＥＤ電球１では、第１のＬＥＤ素子１１Ａ（第１の発光部１０Ａ）のみが発光すると（第１点灯状態の場合）、高色温度の照明光となる。この場合、ＬＥＤ電球１の照明光は、図４Ａに示すような配光となるので、ＬＥＤ電球１からは、図５Ａに示すように広い配光角の光が出射する。つまり、第１点灯状態において、ＬＥＤ電球１は、高色温度で広い配光角の照明光を照射する。
【００９７】
一方、駆動回路２０によって第２のＬＥＤ素子１１Ｂ（第２の発光部１０Ｂ）が点灯するように点灯状態を切り替えると（第２点灯状態の場合）、低色温度の照明光となる。この場合、ＬＥＤ電球１の照明光は、図４Ｂに示すような配光となるので、ＬＥＤ電球１からは、図５Ｂに示すように狭い配光角の光が出射する。つまり、第２点灯状態において、ＬＥＤ電球１は、低色温度で狭い配光角の照明光を照射する。
【００９８】
したがって、例えば、主照明的に高色温度で広い範囲を照らしたい場合は、第１のＬＥＤ素子１１Ａ（第１の発光部１０Ａ）を点灯するとよく、一方、スポット照明的に低色温度で狭い範囲を照らしたい場合は、第２のＬＥＤ素子１１Ｂ（第２の発光部１０Ｂ）を点灯するとよい。つまり、図５Ａの第１点灯状態と図５Ｂの第２点灯状態とをシーン等に応じて適宜切り替えればよい。
【００９９】
このように、本実施の形態におけるＬＥＤ電球１では、１つのＬＥＤ電球で主照明的な照明光（広配光）とスポット照明的な照明光（狭配光）とを切り替えて照射させることができる。この場合、本実施の形態では、主照明的な照明光（広配光）を高色温度とし、スポット照明的な照明光（狭配光）を低色温度としたが、色温度の大小関係は目的に応じて逆であってもよい。つまり、第１の発光部１０Ａの出射光を低色温度とし、第２の発光部１０Ｂの出射光を高色温度としてもよい。
【０１００】
なお、図示しないが、第１の発光部１０Ａと第２の発光部１０Ｂの両方が点灯する第３点灯状態の場合、ＬＥＤ電球１の照明光は、第１の発光部１０Ａが発光したときの場合と第２の発光部１０Ｂが発光したときの場合とがあわさった照明光になる。具体的には、図５Ａと図５Ｂとが合わさった配光、つまり、広い配光である図５Ａに近い配光の照明光になる。一方、この照明光の色温度については、第１の発光部１０Ａと第２の発光部１０Ｂとの中間の色温度になる。したがって、必要に応じて、第１点灯状態及び第２点灯状態に加えて第３点灯状態にも適宜切り替えればよい。これにより、空間演出の選択の自由度が高まる。
【０１０１】
また、本実施の形態では、第１のＬＥＤ素子１１Ａの実装数が第２のＬＥＤ素子１１Ｂの実装数よりも多くなっている。したがって、第１のＬＥＤ素子１１Ａ（第１の発光部１０Ａ）が発光するときのＬＥＤ電球１の照明光の全光束は、第２のＬＥＤ素子１１Ｂ（第２の発光部１０Ｂ）が発光するときのＬＥＤ電球１の照明光の全光束よりも大きくなる。つまり、第１のＬＥＤ素子１１Ａ（第１の発光部１０Ａ）は外側に配置されており、かつ、広い配光角を有するので、より広い範囲で光を照射させることができる。
【０１０２】
［まとめ］
以上、本実施の形態に係るＬＥＤ電球１によれば、第１の発光部１０Ａ（第１のＬＥＤ素子１１Ａ）と第２の発光部１０Ｂ（第２のＬＥＤ素子１１Ｂ）との選択的な点灯による照明光の光色の切り替えに応じて当該照明光の配光角が変化する。本実施の形態では、ＬＥＤ電球１の照明光の色温度の切り替えと同時に照明光の配光角が変化する。
【０１０３】
これにより、ＬＥＤ電球１を所定の照明器具に取り付けた後であって、空間における明かりの雰囲気を大きく変化させることができるので、空間の演出性を向上させることができる。
【０１０４】
また、本実施の形態では、第１の発光部１０Ａが発光するときのＬＥＤ電球１の照明光の配光角と、第２の発光部１０Ｂが発光するときのＬＥＤ電球１の照明光の配光角とを異ならせている。
【０１０５】
これにより、第１の発光部１０Ａと第２の発光部１０Ｂとの点灯状態を選択的に切り替えることで、ＬＥＤ電球１の照明光の光色の切り替えと同時に当該照明光の配光角を容易に変化させることができる。
【０１０６】
また、本実施の形態では、複数の第１のＬＥＤ素子１１Ａの光出射側に第１のレンズ３１Ａを配置するとともに、複数の第２のＬＥＤ素子１１Ｂの光出射側に第２のレンズ３１Ｂを配置している。さらに、これらの第１のレンズ３１Ａと第２のレンズ３１Ｂとでレンズ作用を異ならせている。
【０１０７】
これにより、第１のＬＥＤ素子１１Ａ（第１の発光部１０Ａ）と第２のＬＥＤ素子１１Ｂ（第２の発光部１０Ｂ）との発光状態を切り替えるだけで、ＬＥＤ電球１の照明光の光色の切り替えと同時に当該照明光の配光角を変化させることができる。
【０１０８】
しかも、第１のレンズ３１Ａ及び第２のレンズ３１Ｂを用いることによって、第１のＬＥＤ素子１１Ａ（第１の発光部１０Ａ）及び第２のＬＥＤ素子１１Ｂ（第２の発光部１０Ｂ）からの光を積極的に屈折させることができる。つまり、ＬＥＤ電球１の照明光の配光角を意図的にかつ積極的に大きく変化させることができる。これにより、ＬＥＤ電球１の発光状態の切り替え時に、空間における明かりの雰囲気を大きく変化させることができる。
【０１０９】
また、本実施の形態において、第１のレンズ３１Ａ及び第２のレンズ３１Ｂは、一方が凹レンズであり、他方が凸レンズである。
【０１１０】
これにより、凹レンズによる発散作用によって広い配光角の照明光を容易に実現できるとともに、凸レンズによる集束作用によって狭い配光角の照明光を容易に実現することができる。つまり、逆作用のレンズを用いることで、第１のＬＥＤ素子１１Ａ（第１の発光部１０Ａ）が発光する場合と第２のＬＥＤ素子１１Ｂ（第２の発光部１０Ｂ）が発光する場合とで、照明光の配光特性の変化を容易に大きくすることができる。したがって、空間における明かりの雰囲気の大きな変化を簡単に得ることができる。
【０１１１】
なお、本実施の形態では、第１のレンズ３１Ａを凹レンズとし、第２のレンズ３１Ｂを凸レンズとしているが、目的に応じて、第１のレンズ３１Ａを凸レンズとし、第２のレンズ３１Ｂを凹レンズにしてもよい。
【０１１２】
また、本実施の形態において、第１のレンズ３１Ａと第２のレンズ３１Ｂとは一体成形されている。
【０１１３】
これにより、第１のレンズ３１Ａと第２のレンズ３１Ｂとを容易に作製することができる。
【０１１４】
また、本実施の形態において、第１のレンズ３１Ａ及び第２のレンズ３１Ｂは、複数の第１のＬＥＤ素子１１Ａ及び複数の第２のＬＥＤ素子１１Ｂを覆う透光性カバー３０に設けられている。
【０１１５】
これにより、第１のＬＥＤ素子１１Ａ及び第２のＬＥＤ素子１１Ｂを保護することができるとともに、第１のレンズ３１Ａ及び第２のレンズ３１Ｂを容易に設けることができる。つまり、ＬＥＤ素子の保護機能と配光角可変機能とを１つの透光性カバー３０に持たせることができる。
【０１１６】
また、本実施の形態において、複数の第１のＬＥＤ素子１１Ａは、複数の第２のＬＥＤ素子１１Ｂを囲むように環状に配列されている。つまり、複数の第１のＬＥＤ素子１１Ａを基板１２の外側部分に配置し、複数の第２のＬＥＤ素子１１Ｂを基板１２の内側部分に配置している。
【０１１７】
径方向の幅が同じであれば基板１２は内側中央部分よりも外側外周部分の方が面積が大きいので、第１のＬＥＤ素子１１Ａを基板１２の外側部分に配置することによって、第１のＬＥＤ素子１１Ａの実装数を第２のＬＥＤ素子１１Ｂの実装数よりも簡単に多くできる。したがって、外側に配置された複数の第１のＬＥＤ素子１１Ａ（第１の発光部１０Ａ）の全光束を、内側に配置された複数の第２のＬＥＤ素子１１Ｂ（第２の発光部１０Ｂ）の全光束よりも大きくすることができるので、複数の第１のＬＥＤ素子１１Ａ（第１の発光部１０Ａ）が発光するときの照明光の照射領域を簡単に大きくすることができる。
【０１１８】
この場合、外側に配置された複数の第１のＬＥＤ素子１１Ａ（第１の発光部１０Ａ）が発光するときの照明光の配光角を、内側に配置された複数の第２のＬＥＤ素子１１Ｂ（第２の発光部１０Ｂ）が発光するときの照明光の配光角よりも大きくするとよい。例えば、本実施の形態のように、第１のＬＥＤ素子１１Ａの光出射側に配置する第１のレンズ３１Ａを凹レンズとし、第２のＬＥＤ素子１１Ｂの光出射側に配置する第２のレンズ３１Ｂを凸レンズにするとよい。
【０１１９】
これにより、外側に配置されることで広い照射領域に光を照射できる複数の第１のＬＥＤ素子１１Ａ（第１の発光部１０Ａ）について、さらにその照明光の配光角を大きくできるので、より広い照射領域に光を照射することができる。したがって、空間における明かりの雰囲気の大きな変化を一層簡単に得ることができる。
【０１２０】
（実施の形態１の変形例）
次に、実施の形態１の変形例に係るＬＥＤ電球１Ａについて、図６を用いて説明する。図６は、実施の形態１の変形例に係るＬＥＤ電球の一部切り欠き側面図である。
【０１２１】
本変形例におけるＬＥＤ電球１Ａは、図１に示すＬＥＤ電球１に対して、さらに、グローブ７０を設けた構成になっている。グローブ７０は、透光性カバー３０を覆うように設けられている。このように、グローブ７０を設けることによって、レンズ機能を有する透光性カバー３０を保護することができる。
【０１２２】
グローブ７０は、開口部を有する中空部材であり、開口部とは反対側の頂部が閉塞された形状である。グローブ７０の形状は、例えば開口部が絞られた略半球状である。なお、グローブ７０の形状は略半球状に限るものではなく、回転楕円体又は偏球体であってもよいし、一般電球形状であるＡ型の電球のバルブに準拠した形状であってもよい。
【０１２３】
グローブ７０の材質としては、シリカガラス等のガラス材料、又は、アクリルやポリカーボネート等の樹脂材料等の透光性材料を用いることができる。なお、透光性カバー３０と同様に、第１のレンズ３１Ａ及び第２のレンズ３１Ｂによるレンズ作用にあまり影響を与えない程度に、グローブ７０に光拡散機能を持たせてもよい。
【０１２４】
以上、本変形例に係るＬＥＤ電球１Ａでも、上記実施の形態１におけるＬＥＤ電球１と同様の効果を得ることができる。つまり、第１の発光部１０Ａ（第１のＬＥＤ素子１１Ａ）と第２の発光部１０Ｂ（第２のＬＥＤ素子１１Ｂ）との選択的な点灯による照明光の光色の切り替えに応じて当該照明光の配光角が変化するので、空間における明かりの雰囲気を大きく変化させることができる。
【０１２５】
また、本変形例では、グローブ７０が設けられているので、透光性カバー３０を保護することができる。したがって、透光性カバー３０の劣化を抑制できるので、初期のレンズ機能を長く維持することができる。さらに、透光性カバー３０を保護することで、透光性カバー３０の表面を平面状にする必要がなくなる。これにより、透光性カバー３０の内面だけではなく外面についてもレンズ機能を有する形状にすることができるので、透光性カバー３０の形状の設計自由度が高まる。
【０１２６】
なお、本変形例の他の例として、透光性カバー３０をなくして、グローブ７０に第１のレンズ３１Ａと第２のレンズ３１Ｂとを形成してもよい。言い換えると、実施の形態１の透光性カバー３０を実施の形態２のグローブ７０のように湾曲させた形状としてもよい。
【０１２７】
（実施の形態２）
次に、実施の形態２に係るＬＥＤ電球２について、図７及び図８を用いて説明する。図７は、実施の形態２に係るＬＥＤ電球の一部切り欠き側面図である。図８は、同ＬＥＤ電球の上面図である。
【０１２８】
上記実施の形態におけるＬＥＤ電球１では、レンズ作用の異なるレンズを用いて配光角可変手段を構成していたが、本実施の形態では、光拡散作用の異なる透過部（拡散部）によって配光角可変手段を構成している。
【０１２９】
具体的には、図７に示すように、本実施の形態に係るＬＥＤ電球２は、実施の形態１に係るＬＥＤ電球１において、透光性カバー３０を透光性カバー８０に置き換えた構成になっている。
【０１３０】
本実施の形態における透光性カバー８０は、実施の形態１における透光性カバー３０と同様に、ＬＥＤモジュール１０を覆っている。つまり、透光性カバー８０は、複数の第１のＬＥＤ素子１１Ａ（第１の発光部１０Ａ）及び複数の第２のＬＥＤ素子１１Ｂ（第２の発光部１０Ｂ）を覆っている。したがって、透光性カバー８０は、複数の第１のＬＥＤ素子１１Ａ及び複数の第２のＬＥＤ素子１１Ｂから出射する光を外部へと透過させる。透光性カバー８０の形状及び材質は、実施の形態１における透光性カバー３０と同様の形状及び材質にすることができる。
【０１３１】
透光性カバー８０は、ＬＥＤ電球２の照明光の配光角を可変させる配光角可変手段として、第１の透過部８１Ａ及び第２の透過部８１Ｂを有する。なお、透光性カバー８０は、レンズ機能を有していない。
【０１３２】
図７及び図８に示すように、第１の透過部８１Ａは、透光性カバー８０における複数の第１のＬＥＤ素子１１Ａが発する光が透過する部分である。第１の透過部８１Ａは、複数の第１のＬＥＤ素子１１Ａの光出射側に配置されており、複数の第１のＬＥＤ素子１１Ａが発する光に光拡散作用を与える。つまり、第１の透過部８１Ａは、第１の発光部１０Ａを構成する複数の第１のＬＥＤ素子１１Ａから出射する光を拡散（散乱）させる第１の拡散部である。
【０１３３】
一方、第２の透過部８１Ｂは、透光性カバー８０における複数の第２のＬＥＤ素子１１Ｂが発する光が透過する部分である。第２の透過部８１Ｂは、複数の第２のＬＥＤ素子１１Ｂの光出射側に配置されており、複数の第２のＬＥＤ素子１１Ｂが発する光に光拡散作用を与える。つまり、第２の透過部８１Ｂは、第２の発光部１０Ｂを構成する複数の第２のＬＥＤ素子１１Ｂから出射する光を拡散（散乱）させる第２の拡散部である。
【０１３４】
第１の透過部８１Ａと第２の透過部８１Ｂとでは光拡散度（光拡散作用）が異なる。本実施の形態では、透光性カバー８０に含有させる光拡散粒子の濃度によって光拡散度を異ならせている。つまり、第１の透過部８１Ａにおける光拡散粒子の濃度と第２の透過部８１Ｂにおける光拡散粒子の濃度とが異なっている。光拡散粒子としては、光反射性を有する金属微粒子等を用いることができる。
【０１３５】
本実施の形態では、第１の透過部８１Ａ及び第２の透過部８１Ｂの一方に光拡散粒子を含有させ、他方に光拡散粒子を含有させないことで、第１の透過部８１Ａ及び第２の透過部８１Ｂの光拡散度を変えている。具体的には、第１の透過部８１Ａには光拡散粒子を含有させており、第２の透過部８１Ｂには光拡散粒子を含有させておらず、第２の透過部８１Ｂは透明である。つまり、第１の透過部８１Ａの方が第２の透過部８１Ｂよりも光拡散度が高くなっている。
【０１３６】
これにより、第１のＬＥＤ素子１１Ａから出射する光は第１の透過部８１Ａによって拡散し、第２のＬＥＤ素子１１Ｂから出射する光は第２の透過部８１Ｂによって屈折及び散乱せずに透過する。この結果、第１の発光部１０Ａ（複数の第１のＬＥＤ素子１１Ａ）の発光時におけるＬＥＤ電球２の照明光は、第２の発光部１０Ｂ（複数の第２のＬＥＤ素子１１Ｂ）の発光時におけるＬＥＤ電球２の照明光よりも広い配光角となる。
【０１３７】
このように、本実施の形態では、第１の発光部１０Ａ（第１のＬＥＤ素子１１Ａ）に対応する第１の透過部８１Ａと第２の発光部１０Ｂ（第２のＬＥＤ素子１１Ｂ）に対応する第２の透過部８１Ｂとで光拡散度を異ならせているので、ＬＥＤ電球２の照明光の光色の切り替えと同時に当該照明光の配光角が変化する。
【０１３８】
なお、本実施の形態でも、第１の透過部８１Ａ及び第２の透過部８１Ｂは、透光性カバー８０と一体成形されている。つまり、透光性カバー８０そのものがＬＥＤ電球２の照明光の配光角を可変させる配光角可変手段として機能している。
【０１３９】
そして、本実施の形態におけるＬＥＤ電球２でも、実施の形態１と同様に、第１の発光部１０Ａと第２の発光部１０Ｂとを選択的に点灯させることによってＬＥＤ電球２が発する照明光の光色を切り替えることができる。
【０１４０】
このとき、ＬＥＤ電球２でも、実施の形態１と同様に、第１の発光部１０Ａ（第１のＬＥＤ素子１１Ａ）と第２の発光部１０Ｂ（第２のＬＥＤ素子１１Ｂ）との選択的な点灯による照明光の光色の切り替えに応じて当該照明光の配光角が変化する。つまり、ＬＥＤ電球２の照明光の色温度の切り替えと同時に照明光の配光角が変化する。
【０１４１】
具体的には、高色温度の第１のＬＥＤ素子１１Ａ（第１の発光部１０Ａ）のみが発光する場合（第１点灯状態の場合）は、第１の発光部１０Ａの光が第１の透過部８１Ａで拡散して、ＬＥＤ電球２からは、広い配光角の光が出射する。つまり、第１点灯状態において、ＬＥＤ電球２は、高色温度で広い配光角の照明光を照射する。
【０１４２】
一方、駆動回路２０によって、低色温度の第２のＬＥＤ素子１１Ｂ（第２の発光部１０Ｂ）が点灯するように点灯状態を切り替えると（第２点灯状態の場合）、第２の発光部１０Ｂの光が第２の透過部８１Ｂを透過して、ＬＥＤ電球２からは、第１点灯状態の場合の配光角よりも狭い配光角の光が出射する。つまり、第２点灯状態においては、光を拡散させて積極的に配光角を変化させているのではなく、光を拡散させないことで結果的に第１点灯状態の場合よりも相対的に狭い配光角を得ている。これにより、第２点灯状態において、ＬＥＤ電球２は、低色温度で狭い配光角の照明光を照射する。
【０１４３】
以上のとおり、本実施の形態におけるＬＥＤ電球２でも、第１の発光部１０Ａと第２の発光部１０Ｂとの選択的な点灯による照明光の光色の切り替えに応じて当該照明光の配光角が変化するので、実施の形態１と同様の効果を得ることができる。つまり、ＬＥＤ電球２を所定の照明器具に取り付けた後であって、空間における明かりの雰囲気を大きく変化させることができる等の効果を得ることができる。
【０１４４】
しかも、本実施の形態では、光を拡散させているので、第１点灯状態と第２点灯状態とにおいてＬＥＤ電球２の光り方（キラメキ感）が変化する。特に、第１点灯状態では光を拡散させているが、第２点灯状態では光を拡散させていないので（無拡散）、照明光の光色の切り替え時にはＬＥＤ電球２の光り方の雰囲気が大きく変化することになる。したがって、空間における明かりの雰囲気を大きく変化させることができる。
【０１４５】
なお、本変形例では、光拡散粒子を含有させることで光拡散機能を持たせたが、透光性カバー８０の内面又は外面に乳白色の光拡散膜を形成したり、透光性カバー８０に複数の微小凹凸（微小ドット又は微小な窪み）を形成したりすることで、透光性カバー８０に光拡散機能を持たせることもできる。
【０１４６】
また、本実施の形態では、第２の透過部８１Ｂよりも第１の透過部８１Ａの方の光拡散度を高くしているが、目的に応じて、第２の透過部８１Ｂの光拡散度を第１の透過部８１Ａの光拡散度よりも高くしてもよい。
【０１４７】
また、本実施の形態では、第１の発光部１０Ａの出射光を高色温度とし、第２の発光部１０Ｂの出射光を低色温度としているが、目的に応じて、第１の発光部１０Ａの出射光を低色温度とし、第２の発光部１０Ｂの出射光を高色温度としてもよい。
【０１４８】
（実施の形態２の変形例）
次に、実施の形態２の変形例に係るＬＥＤ電球２Ａについて、図９を用いて説明する。図９は、実施の形態２の変形例に係るＬＥＤ電球の一部切り欠き側面図である。
【０１４９】
図７及び図８に示すＬＥＤ電球２では、透光性カバー８０の第２の透過部８１Ｂには光拡散粒子を含有させていなかったが、本変形例における透光性カバー８０Ａでは、第１の透過部８１Ａだけではなく、第２の透過部８１Ｂにも光拡散粒子を含有させている。
【０１５０】
つまり、本変形例では、第１の透過部８１Ａ及び第２の透過部８１Ｂの両方に光拡散粒子を含有させた上で、第１の透過部８１Ａと第２の透過部８１Ｂとで光拡散度を異ならせている。
【０１５１】
具体的には、厚みが一定の透光性カバー８０において、第１の透過部８１Ａの光拡散粒子の含有量を第２の透過部８１Ｂの光拡散粒子の含有量よりも大きくすることで、第１の透過部８１Ａの方の光拡散度を高くしている。つまり、第１の透過部８１Ａにおける光拡散粒子の濃度を、第２の透過部８１Ｂにおける光拡散粒子の濃度よりも大きくしている。
【０１５２】
なお、第１の透過部８１Ａと第２の透過部８１Ｂの光拡散度の大小関係は、目的に応じて、逆であってもよい。
【０１５３】
以上、本変形例に係るＬＥＤ電球２Ａでも、上記実施の形態２におけるＬＥＤ電球２と同様の効果を得ることができる。つまり、第１の発光部１０Ａ（第１のＬＥＤ素子１１Ａ）と第２の発光部１０Ｂ（第２のＬＥＤ素子１１Ｂ）との選択的な点灯による照明光の光色の切り替えに応じて当該照明光の配光角が変化するので、空間における明かりの雰囲気を大きく変化させることができる。
【０１５４】
また、本変形例では、第１点灯状態及び第２点灯状態のいずれにおいても光を拡散させることで照明光の光色の切り替え時に配光角が変化している。これにより、照明光の光色の切り替え時に、ＬＥＤ電球２Ａの光り方（キラメキ感）を変化させることができる。
【０１５５】
また、本変形例では、厚みが一定の透光性カバー８０を用いて第１の透過部８１Ａと第２の透過部８１Ｂとで光拡散粒子の含有量を変えることによって光拡散度を異ならせたが、これに限るものではない。
【０１５６】
例えば、図１０に示すＬＥＤ電球２Ｂにおける透光性カバー８０Ｂのように、第１の透過部８１Ａと第２の透過部８１Ｂとで光拡散粒子の濃度は同じとしつつ、第１の透過部８１Ａと第２の透過部８１Ｂとで厚みを異ならせることで、第１の透過部８１Ａ及び第２の透過部８１Ｂの光拡散度を異ならせてもよい。
【０１５７】
このように、光拡散粒子の濃度が同じであっても厚みを異ならせることで、第１の透過部８１Ａと第２の透過部８１Ｂとを透過する光に対する光拡散作用を異ならせることができる。これにより、第１の透過部８１Ａと第２の透過部８１Ｂとで光拡散度を異ならせることができる。
【０１５８】
（その他の変形例）
以上、本発明に係る照明装置について、実施の形態及び変形例に基づいて説明したが、本発明は、上記の実施の形態及び変形例に限定されるものではない。
【０１５９】
例えば、上記の実施の形態及び変形例では、ＬＥＤ電球を例にとって説明したが、本発明は、直管形蛍光灯に代替する直管ＬＥＤランプ、又は、ＧＸ５３口金又はＧＨ７６ｐ口金等を有するフラット型のＬＥＤランプ等、その他の口金付きのＬＥＤランプにも適用することできる。
【０１６０】
また、上記の実施の形態及び変形例では、照明装置として、照明器具に装着して使用する口金付きの照明装置を例にとって説明したが、本発明に係る照明装置は、照明器具そのものとして実現することもできる。
【０１６１】
具体的には、本発明は、図１１に示すように、ダウンライト１００に適用することができる。図１１は、変形例１に係る照明装置の断面図である。
【０１６２】
ダウンライト１００は、天井埋込型の照明器具の一例であって、図１１に示すようにＬＥＤモジュール１０と、レンズ部材３０Ａと、グローブ７０と、基台１１０と、駆動回路２０（不図示）を備える。レンズ部材３０Ａは、レンズ機能を有する透光性光学部であり、実施の形態１における透光性カバー３０と同様の第１のレンズ３１Ａと第２のレンズ３１Ｂとを有する。基台１１０は、ＬＥＤモジュール１０が取り付けられる取付台である。また、基台１１０は、ＬＥＤモジュール１０で発生する熱を放熱するヒートシンクとしても機能し、例えばアルミダイカスト製である。
【０１６３】
また、本発明は、図１２に示すように、シーリングライト２００にも適用することができる。図１２は、変形例２に係る照明装置の断面図である。図示しないが、シーリングライト２００は、ＬＥＤモジュール１０、駆動回路２０及び透光性カバー３０に対応する機能を有する部材を少なくとも備える。
【０１６４】
その他に、本発明は、スポットライト又はスタンドライト等のその他の照明器具にも適用することができる。
【０１６５】
また、上記の実施の形態及び変形例では、第１の発光部１０Ａと第２の発光部１０Ｂとを選択的に点灯させる場合として、第１の発光部１０Ａと第２の発光部１０Ｂとの両方を点灯させる場合（第３点灯状態）も含めたが、これに限らない。例えば、第１の発光部１０Ａと第２の発光部１０Ｂとを排他的に点灯して、第１点灯状態又は第２点灯状態のみとしてもよい。つまり、第３点灯状態をなくしてもよい。
【０１６６】
また、上記の実施の形態及び変形例では、第１の発光部１０Ａ及び第２の発光部１０Ｂの各々の光出力を変更しなかったが、第１点灯状態において第１の発光部１０Ａの光出力を変更したり、第２点灯状態において第２の発光部１０Ｂの光出力を変更したりしてもよい。つまり、第１点灯状態又は第２点灯状態において、調光制御を行ってもよい。
【０１６７】
さらに、第１の発光部１０Ａと第２の発光部１０Ｂとの両方を点灯させる場合（第３点灯状態）に、第１の発光部１０Ａ及び第２の発光部１０Ｂの光出力比を変更してもよい。つまり、第３点灯状態において調色制御を行ってもよい。
【０１６８】
また、上記の実施の形態及び変形例では、レンズ作用のみ又は光拡散度のみを変更することによって異なる配光角を実現したが、レンズ作用及び光拡散度の両方を組み合わせることによって異なる配光角を実現してもよいし、レンズ作用及び光拡散度の各々と反射ミラー等の他の光学部品とを組み合わせることによって異なる配光角を実現してもよい。
【０１６９】
また、上記の実施の形態及び変形例では、ＬＥＤモジュール１０として、ＬＥＤチップが個々にパッケージ化されたＬＥＤ素子を基板１２に二次実装する構造のＳＭＤ型のＬＥＤモジュールを用いたが、これに限らない。例えば、発光素子として基板１２上に複数のＬＥＤチップを直接実装して、複数のＬＥＤチップを蛍光体含有樹脂によって一括封止した構成であるＣＯＢ（Ｃｈｉｐ  Ｏｎ  Ｂｏａｒｄ）型のＬＥＤモジュールであっても構わない。
【０１７０】
また、上記の実施の形態及び変形例において、第１のＬＥＤ素子１１Ａ及び第２のＬＥＤ素子１１Ｂは、青色ＬＥＤチップと黄色蛍光体とによって白色光を放出するように構成したが、これに限らない。例えば、赤色蛍光体及び緑色蛍光体を含有する蛍光体含有樹脂を用いて、これと青色ＬＥＤチップと組み合わせることによりに白色光を放出するように構成してもよい。また、青色以外の色を発光するＬＥＤチップを用いてもよく、例えば、青色ＬＥＤチップが放出する青色光よりも短波長である紫外光を放出する紫外ＬＥＤチップを用いて、主に紫外光により励起されて青色光、赤色光及び緑色光を放出する青色蛍光体、緑色蛍光体及び赤色蛍光体によって白色光を放出するように構成してもよい。
【０１７１】
また、上記の実施の形態及び変形例において、第１のＬＥＤ素子１１Ａ及び第２のＬＥＤ素子１１Ｂは、白色光を出射する構成としたが、これに限らない。例えば、第１のＬＥＤ素子１１Ａ及び第２のＬＥＤ素子１１Ｂは、色相（波長）が異なる光を出射するように構成してもよい。
【０１７２】
また、上記の実施の形態及び変形例において、発光素子としてＬＥＤチップを用いる場合を例示したが、発光素子として、半導体レーザ、有機ＥＬ（Ｅｌｅｃｔｒｏ  Ｌｕｍｉｎｅｓｃｅｎｃｅ）又は無機ＥＬ等の他の発光素子を用いてもよい。
【０１７３】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１７４】
１、１Ａ、２、２Ａ、２Ｂ    ＬＥＤ電球（照明装置）
１０Ａ  第１の発光部
１０Ｂ  第２の発光部
１１Ａ  第１のＬＥＤ素子（第１の発光素子）
１１Ｂ  第２のＬＥＤ素子（第２の発光素子）
３０  透光性カバー
３１Ａ  第１のレンズ
３１Ｂ  第２のレンズ
８１Ａ  第１の透過部
８１Ｂ  第２の透過部
【図１】
2016170912.tif 000003
【図２Ａ】
2016170912.tif 000004
【図２Ｂ】
2016170912.tif 000005
【図３】
2016170912.tif 000006
【図４Ａ】
2016170912.tif 000007
【図４Ｂ】
2016170912.tif 000008
【図５Ａ】
2016170912.tif 000009
【図５Ｂ】
2016170912.tif 000010
【図６】
2016170912.tif 000011
【図７】
2016170912.tif 000012
【図８】
2016170912.tif 000013
【図９】
2016170912.tif 000014
【図１０】
2016170912.tif 000015
【図１１】
2016170912.tif 000016
【図１２】
2016170912.tif 000017